(57)【要約】【課題】昇降路内に設置された滑車の側面に手作業で塗料を塗布する手間を要することなく手の届き難い部分にも簡単に塗料を塗布することができる塗料塗布装置を提供する。【解決手段】塗料塗布装置３０は、吊車１６の側面に接触する塗布部３２、塗料を貯留する貯留部３７、及び貯留部３７に貯留されている塗料が浸み込んで塗布部３２へ移動するための含浸材３９を有する塗布ユニット３１と、塗布ユニット３１を吊車１６の回転支持部１７に着脱可能に固定する取り付け部４６と、備え、取り付け部４６を回転支持部１７に固定した状態で、貯留部３７に貯留された塗料が含浸材３９に浸み込んで塗布部３２に供給され、吊車１６の回転に伴い塗布部３２が吊車１６の側面に摺接して塗料を塗布する。【選択図】図２
2017001858.tif 000002
【特許請求の範囲】
【請求項１】
エレベータの乗りかご及びカウンターウェイトの少なくとも一方を吊り下げるロープが外周面に沿って架け渡された滑車に取り付けられる塗料塗布装置であって、
前記滑車の側面に接触する塗布部と、塗料を貯留する貯留部と、前記貯留部から延出して前記塗布部に接続し前記貯留部に貯留されている塗料が浸み込んで前記塗布部へ移動するための含浸材と、を含む塗布ユニットと、
前記塗布ユニットを前記滑車の回転支持部に着脱可能に固定する固定部と、
を備え、
前記固定部を前記回転支持部に固定した状態で、前記貯留部に貯留された塗料が前記含浸材に浸み込んで前記塗布部に供給され、前記滑車の回転に伴い前記塗布部が前記滑車の側面に摺接して塗料を塗布することを特徴とする、エレベータ用滑車の塗料塗布装置。
【請求項２】
エレベータ昇降路に配置された滑車の回転支持部に固定されるとともに、前記滑車の側面に沿って前記滑車の外周面側へ延び前記外周面に架け渡されたロープと対向するように張り出した外れ止めアームに取り付けられる塗料塗布装置であって、
前記滑車の側面に接触する塗布部と、塗料を貯留する貯留部と、前記貯留部から延出して前記塗布部に接続し前記貯留部に貯留されている塗料が浸み込んで前記塗布部へ移動するための含浸材と、を含む塗布ユニットと、
前記塗布ユニットを前記外れ止めアームに着脱可能に固定する固定部と、
を備え、
前記固定部を前記外れ止めアームに固定した状態で、前記貯留部に貯留された塗料が前記含浸材に浸み込んで前記塗布部に供給され、前記滑車の回転に伴い前記塗布部が前記滑車の側面に摺接して塗料を塗布することを特徴とする、エレベータ用滑車の塗料塗布装置。
【請求項３】
請求項１に記載のエレベータ用滑車の塗料塗布装置において、
前記回転支持部は強磁性金属で形成されており、
前記固定部は、前記回転支持部に吸着するマグネットを含むことを特徴とする、エレベータ用滑車の塗料塗布装置。
【請求項４】
請求項２に記載のエレベータ用滑車の塗料塗布装置において、
前記外れ止めアームは強磁性金属で形成されており、
前記固定部は、前記外れ止めアームに吸着するマグネットを含むことを特徴とする、エレベータ用滑車の塗料塗布装置。
【発明の詳細な説明】
【技術分野】
【０００１】
本発明は、エレベータ用滑車に塗料を塗布する塗料塗布装置に関する。
【背景技術】
【０００２】
エレベータにおける保守作業時に着衣等が巻き込まれないように保守員に注意を喚起するため、昇降路内に配置された滑車の側面の外周部に目立つ色、例えば、オレンジ色の塗料を塗布することがある。
【０００３】
また、これらの昇降路内に設置された滑車側面への塗料の塗布作業は、乗りかごの天井やピット内に保守員が立ち入って手作業で行っている。
【発明の概要】
【発明が解決しようとする課題】
【０００４】
上述のように滑車の側面に手作業で塗料を塗布する場合には、作業の安全性を確保するために滑車を停止させた状態で塗料を塗布する必要がある。また、滑車の周囲には回転支持部や外れ止めアーム等が設置されており、滑車側面のうち回転支持部や外れ止めアームで隠れている部分には手が届き難く塗布作業を一度に行うことが難しかった。そのため、上記の隠れている部分を塗料の塗布し易い位置まで回転させてから塗布作業を再度行う必要があり塗布作業に手間を要していた。
【０００５】
本発明の目的は、昇降路内に設置された滑車の側面に手作業で塗料を塗布する手間を要することなく手の届き難い部分にも簡単に塗料を塗布することができる塗料塗布装置を提供することにある。
【課題を解決するための手段】
【０００６】
本発明の一態様に係るエレベータ用滑車の塗料塗布装置は、エレベータの乗りかご及びカウンターウェイトの少なくとも一方を吊り下げるロープが外周面に沿って架け渡された滑車に取り付けられる塗料塗布装置であって、滑車の側面に接触する塗布部と、塗料を貯留する貯留部と、貯留部から延出して塗布部に接続し貯留部に貯留されている塗料が浸み込んで塗布部に移動するための含浸材と、を含む塗布ユニットと、塗布ユニットを滑車の回転支持部に着脱可能に固定する固定部と、を備え、固定部を回転支持部に固定した状態で、貯留部に貯留された塗料が含浸材に浸み込んで塗布部に供給され、滑車の回転に伴い塗布部が滑車の側面に摺接して塗料を塗布することを特徴とするものである。
【０００７】
本発明の別の態様に係るエレベータ用滑車の塗料塗布装置は、エレベータ昇降路に配置された滑車の回転支持部に固定されるとともに、滑車の側面に沿って滑車の外周面側へ延び外周面に架け渡されたロープと対向するように張り出した外れ止めアームに取り付けられる塗料塗布装置であって、滑車の側面に接触する塗布部と、塗料を貯留する貯留部と、貯留部から延出した塗布部に接続し貯留部に貯留されている塗料が浸み込んで塗布部へ移動するための含浸材と、を含む塗布ユニットと、塗布ユニットを外れ止めアームに着脱可能に固定する固定部と、を備え、固定部を外れ止めアームに固定した状態で、貯留部に貯留された塗料が含浸材に浸み込んで塗布部に供給され、滑車の回転に伴い塗布部が滑車の側面に摺接して塗料を塗布することを特徴とするものである。
【０００８】
本発明の一態様に係るエレベータ用滑車の塗料塗布装置は、回転支持部は強磁性金属で形成されており、固定部は、回転支持部に吸着するマグネットを含むことが好適である。
【０００９】
本発明の別の態様に係るエレベータ用滑車の塗料塗布装置は、外れ止めアームは強磁性金属で形成されており、固定部は、外れ止めアームに吸着するマグネットを含むことが好適である。
【発明の効果】
【００１０】
本発明の一態様に係るエレベータ用滑車の塗料塗布装置によれば、回転支持部に固定した状態で含浸材に浸み込んだ塗料が塗布部に供給され、滑車の回転に伴い滑車の側面に塗布部が摺接することで塗料を塗布することができる。このため、手作業で滑車の側面に塗料を塗布する手間を要することなく手の届き難い部分にも簡単に塗料を塗布することができる。
【００１１】
本発明の別の態様に係るエレベータ用滑車の塗料塗布装置によれば、外れ止めアームに固定した状態で含浸材に浸み込んだ塗料が塗布部に供給され、滑車の回転に伴い滑車の側面に塗布部が摺接することで塗料を塗布することができる。このため、手作業で滑車の側面に塗料を塗布する手間を要することなく手の届き難い部分にも簡単に塗料を塗布することができる。
【図面の簡単な説明】
【００１２】
【図１】本発明の実施形態である塗料塗布装置が適用されるエレベータの全体構成を示す図である。
【図２】本発明の実施形態である塗料塗布装置の全体構成を示す斜視図である。
【図３】図３（ａ）は図２に含まれる塗料塗布装置の断面図であり、図３（ｂ）は貯留部から塗布部を取り外した状態を示す断面図である。
【図４】図２に示す塗料塗布装置を回転支持部に取り付ける際の作業状態を示す図である。
【図５】図４に示すＢ-Ｂ断面図である。
【図６】本発明の塗料塗布装置を外れ止めアームに取り付ける際の作業状態を示す図である。
【図７】図６に示すＣ方向から見た塗料塗布装置の取り付け状態を示す図である。
【図８】本発明の塗料塗布装置の第１変形例を示す図である。
【図９】図８に示す第２変形例である塗料塗布装置を梁に取り付けた状態を図５と同様に示す図である。
【図１０】図９に示す塗料塗布装置を外れ止めアームに取り付けた状態を図７と同様に示す図である。
【発明を実施するための形態】
【００１３】
以下に、本発明の実施形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１４】
図１は、本発明の実施形態である塗料塗布装置３０が適用されるエレベータ１０の全体構成を示す図である。同図では、乗りかご底面の吊車の構成を示す部分拡大図を併せて示している。なお、ピットとは、最下階のフロアに乗りかごが停止したときに、乗りかごよりも下方に位置する昇降路Ｓの底部分を意味する。また、同図では、複数の主ロープのうち１本のみ図示している。
【００１５】
エレベータ１０は、主ロープ２２が架け渡された巻上機１１を備えている。巻上機１１は、図示した実施形態では、昇降路Ｓの下端側であるピットに配置されている。巻上機１１は、ガイドレール１２ａ，１２ｂ及びガイドレール１３ａ，１３ｂに移動可能に支持された乗りかご１４及びカウンタ錘１５を相対的に昇降させる機能を有している。
【００１６】
乗りかご１４は、人や荷物を載せて昇降する機能を有し、前面側には両開き式の開閉扉１４ａが設けられ、底面には吊車１６及び吊車１６を軸支する回転支持部１７を備えている。
【００１７】
吊車１６は乗りかご１４の底面の両端部に配置された滑車であり、主ロープ２２を架け渡す溝が外周に沿って等間隔で複数形成されている。
【００１８】
回転支持部１７は、乗りかご１４の底面の幅方向に沿って取り付けられた梁１８，１９から構成されている。各梁１８，１９は、略Ｃ字状の断面形状を有する長尺の鉄製鋼材であり対向配置されている。各梁１８，１９の長手方向の両端部には、板状のブラケットＢＬを介して吊車１６が軸支されている。
【００１９】
回転支持部１７のブラケットＢＬには、図４に示すように、外れ止めアーム２１ａ，２１ｂが取り付けられている。外れ止めアーム２１ａ，２１ｂは、主ロープ２２が吊車１６から脱落するのを防止する役割を有する略Ｕ字状の鉄製部材であり、ブラケットＢＬに両端を固定されている。外れ止めアーム２１ａは、吊車１６の側面に沿ってブラケットＢＬから略水平に延出し、吊車１６の外周面に架け渡された主ロープ２２と対向するように張り出している。外れ止めアーム２１ｂは、外れ止めアーム２１ａと同様の構成を有し、吊車１６の側面に沿って鉛直下方に延出するようにブラケットＢＬに固定されている。
【００２０】
主ロープ２２は、その一端が天井部分に固定され垂下して乗りかご１４の２つの吊車１６を経てから天井の返し車２４ａを経由し下方に位置する巻上機１１に至るように架け渡されている。また、主ロープ２２の他端も巻上機１１から天井の返し車２４ｂを経由して下方のカウンタ錘１５の吊車１５ａに架け渡されてから天井部分に固定されている。
【００２１】
制御盤２９は、ピット内の壁面に設置されており、巻上機１１等の運転を制御して乗りかご１４を昇降させるための制御装置である。
【００２２】
図２は、本発明の実施形態である塗料塗布装置３０の全体構成を示す斜視図である。図３（ａ）は塗料を貯留している貯留部を有する塗布ユニットの断面図である。同図（ｂ）は、貯留部から塗布部を取り外した状態を示す図である。
【００２３】
塗料塗布装置３０は、図２に示すように、塗料を塗布する塗布ユニット３１と、この塗布ユニット３１を回転支持部１７に着脱可能に固定する固定部４１とを備えている。塗布ユニット３１は、図３（ａ）に示すように、塗料を塗布する塗布部３２、塗料を貯留する貯留部３７、及び含浸材３９を含んでいる。塗料としては、例えば、ウレタン樹脂塗料、アクリル樹脂塗料、または、シリコン樹脂塗料等を用いることができる。
【００２４】
塗布部３２は、塗料を塗布するための刷毛３３、刷毛３３を支持する直方体状の基部３４、および、基部３４が嵌め込まれた支持ケース３５を有している。基部３４は、連続気泡体構造を有する発泡ウレタンからなり、塗料を浸み込ませて内部に保持する機能を有している。基部３４に保持される塗料は、刷毛３３に保持されている塗料が塗布面に接触して減少すると、毛細管現象によって刷毛３３へ供給される。支持ケース３５の側面３５ａの中央部には、図３（ｂ）に示すように接続口３６が形成されている。この接続口３６は筒状に形成されており、その内周面には螺旋状の雌ネジ３６ａが形成されている。本実施形態では、塗布部３２は刷毛３３を用いて塗料を塗布しているが、刷毛３３の代わりにスポンジやローラ等の塗布具を用いてもよい。
【００２５】
貯留部３７は、図２に示すように、細長い箱形状を呈しており、底壁３７ａが下面側となるように後述する固定部４１に固定され、塗料を貯留する。貯留部３７の前面３７ｂに供給口３８が形成されている。供給口３８は、前面３７ｂの中央下寄りの位置に設けられている。このため、貯留部３７が略水平に保持された状態で貯留している塗料を残らず塗布部３２に供給できる。供給口３８には、接続口３６の雌ネジ３６ａに螺合する雄ネジ３８ａが外周面に設けられている。これにより、塗布ユニット３１を貯留部３７に着脱可能に固定できるため塗布ユニット３１を簡単に交換できる。
【００２６】
含浸材３９は連続気泡体構造を有する発泡ウレタンフォームを略円柱状にカットして形成されており、供給口３８に挿入され貯留部３７の内部に延びている。含浸材３９の前側先端は、供給口３８よりも外側に少し突き出しており、塗布部３２を取り付けたときに基部３４に接触する。含浸材３９に浸み込んだ塗料は、基部３４の保液量が上限に達するまで基部３４へ浸み出して逐次供給される。
【００２７】
固定部４１は、図２に示すように、塗布ユニット３１を着脱可能に装着する装着部４２と、回転支持部１７に着脱可能に塗料塗布装置３０を取り付けるための取り付け部４６とを有している。
【００２８】
装着部４２は、図２に示すように、取り付け部４６の下側辺４６ｃに立設した略直方体状の部材であり、塗布ユニット３１を挿通固定するための挿通口４２ａが設けられている。この挿通口４２ａは、断面が横長長方形状に形成されており、上述した貯留部３７を挿入可能に形成されている。装着部４２の側面４２ｂには挿通口４２ａに連通するネジ孔が設けられ、ノブ付きボルト４４が螺合されている。このノブ付きボルト４４が挿通口４２ａの反対側の側面との間に貯留部３７を挟み込んで固定する。この構成では、貯留部３７の前後方向Ｙの位置を調整して挿通口４２ａに貯留部３７を固定することが可能であり、塗布ユニット３１の刷毛３３が塗布面に接触する適切な位置で貯留部３７を装着部４２に固定することができる。
【００２９】
取り付け部４６は、図２に示すように、回転支持部１７に取り付けるために略Ｃ字状に形成され、上側辺４６ａに設けられたネジ孔４６ｂにはノブ付きボルト４９が螺合されている。ノブ付きボルト４９は、ボルト先端に椀状の受け部４９ａが取り付けられており、受け部４９ａと取り付け部４６の下側辺４６ｃとの間に上述した梁１８又は梁１９の突出部１８ａ又は突出部１９ａを挟み込んで塗料塗布装置３０を固定する。
【００３０】
続いて、図４及び図５を用いて塗料塗布装置３０を用いた吊車１６への塗料の塗布作業について説明する。図４は、梁１８に塗料塗布装置３０を設置する様子を示す図である。図５は、図４に示すＢ-Ｂ断面図である。同図では、外れ止めアーム２１ａ，２１ｂの図示を省略している。
【００３１】
保守員は、図４に示すように、ピット内に架台Ｑを設置するとともに、ピット内の壁面に設置されている制御盤２９を操作して乗りかご１４を下降させてから架台Ｑに上がる。
【００３２】
次に、図５に示すように、刷毛３３が吊車１６の側面１６ａの外周部分に接触する状態で梁１８に取り付け部４６を固定する。そして、保守員は、架台Ｑから降りて制御盤２９へ移動し、制御盤２９を操作して吊車１６が２、３回転するまで乗りかご１４を上昇させてから降下させる。それから、塗料塗布装置３０を梁１８から取り外し、上記同様の手順で反対側の側面１６ｂに対して塗料を塗布して吊車１６に対する塗布作業を終了する。
【００３３】
上記実施形態に係る塗料塗布装置３０によれば、回転支持部１７に固定した状態で含浸材３９に浸み込んだ塗料が塗布部３２に供給され、吊車１６の回転に伴い側面１６ａに塗布部３２が摺接して塗料を塗布することができる。このため、手作業で吊車１６の側面１６ａに塗料を塗布する手間を要することなく手の届き難い部分にも一度の塗布作業で塗料を簡単に塗布することができる。
【００３４】
なお、油汚れ等を取り除いてから吊車１６の側面１６ａ，１６ｂに塗料を塗布する場合には、塗料の代わりにパーツクリーナ等の脱脂洗浄液を貯留した貯留部を上記貯留部３７の代わりに塗布ユニット３１に取り付けて、上記の塗料の塗布作業と同様の手順で脱脂洗浄液を吊車１６の側面１６ａ，１６ｂに塗布するようにしてもよい。この場合には、吊車１６の側面１６ａ，１６ｂの油汚れを取り除いてから塗料の塗布作業を行うことができる。
【００３５】
上記実施形態では、乗りかご１４の底面の滑車である吊車１６に対して塗料を塗布する例を挙げているが、例えば、昇降路Ｓのピット内や天井側に配置されている他の吊車１５ａ，返し車２４ａ，２４ｂ等の滑車に対する塗布作業にも用いることが可能である。天井側に配置されている返し車２４ａ，２４ｂに対しては乗りかご１４の上面に保守員が乗り込んだ状態で天井に接近する位置まで乗りかご１４を上昇させて塗料塗布装置３０を返し車２４ａ，２４ｂの回転支持部に取り付けて塗料を塗布するようにすればよい。
【００３６】
上記実施形態では、エレベータ用滑車の塗料塗布装置３０を回転支持部１７に取り付ける例を挙げて説明したが、本発明はこれに限定されるものではない。例えば、外れ止めアーム２１ａ，２１ｂに塗料塗布装置３０を取り付けるようにしてもよい。この場合における塗料塗布装置３０の取り付け方法について、図６及び図７を用いて説明を行う。
【００３７】
図６は、乗りかご１４の梁１８に設置された外れ止めアーム２１ａに塗料塗布装置３０を設置する様子を示す図である。図７は、図６に示す方向Ｃから見た塗料塗布装置３０を外れ止めアーム２１ａに取り付けた状態を示す図である。
【００３８】
保守員は、図６に示すように、外れ止めアーム２１ａに塗料塗布装置３０を取り付ける。この際、図７に示すように、刷毛３３の先端が吊車１６の側面１６ａの外周部分に接触する位置で外れ止めアーム２１ａに取り付け部４６を固定する。そして、保守員は、上記実施形態と同様に制御盤２９を操作して吊車１６が２、３回転するまで乗りかご１４を上昇させてから降下させて塗布作業を行う。このように外れ止めアーム２１ａに塗料塗布装置３０を固定しても上記実施形態に係る塗料塗布装置と同様の効果を得ることができる。
【００３９】
次に、上記実施形態における塗料塗布装置３０の変形例について図８を用いて説明を行う。以下の説明では、上記実施形態と共通する構成部分については適宜説明を省略し、異なる部分についてのみ説明するものとする。
【００４０】
図８は、上記実施形態におけるエレベータ用滑車の塗料塗布装置３０の第１変形例である塗料塗布装置５０を示す図である。図９は、塗料塗布装置５０を梁１８に取り付けた状態を図５と同様に示す図である。
【００４１】
この塗料塗布装置５０は、固定部４１の代わりに固定部５１を備えている。固定部５１は、塗布ユニット３１を装着する装着部５２と、塗料塗布装置５０を梁１８，１９に取り付ける取り付け部５３とを有している。装着部５２は、上下方向の長さが短く形成されている点を除いて上記実施形態における装着部４２と同一の構成を備えている。取り付け部５３は、マグネットの磁力によって塗料塗布装置５０を梁１８，１９に固定する。取り付け部５３は、側面に設けられた摘み５４のＯＮ・ＯＦＦを切り替えることによって上面５３ａが梁１８又は梁１９の突出部１８ａ又は突出部１９ａに磁力によって吸着する状態と、吸着しない状態とに切り替えることが可能である。この結果、塗料塗布装置５０を磁力によって外れ止めアーム２１ａに簡単に固定することができる。
【００４２】
また、塗料塗布装置５０において、上面５３ａの代わりに前面５３ｂが磁力によって吸着するようにしてもよい。この場合には、図１０に示すように、外れ止めアーム２１ａの側面に固定することができる。
【００４３】
この変形例では、鉄製部材である梁１８，１９及び外れ止めアーム２１ａに取り付け部５３が吸着する例を挙げているが、梁１８，１９及び外れ止めアーム２１ａは他のニッケル等の強磁性金属で形成するものとしてもよい。
【００４４】
なお、本発明に係るエレベータ用滑車の塗料塗布装置によれば、上述した実施形態およびその変形例の構成に限定されるものではなく、本願の特許請求の範囲に記載された事項およびその均等の範囲内で種々の改良や変更が可能であることはいうまでもない。
【符号の説明】
【００４５】
１０  エレベータ、１５ａ，１６  吊車、１７  回転支持部、１８，１９  梁、１８ａ，１９ａ  突出部、２１ａ，２１ｂ  外れ止めアーム  ２２、主ロープ  ３０，５０、塗料塗布装置、３１  塗布ユニット、３２  塗布部、３３  刷毛、３４  基部、３５  支持ケース、３７、貯留部  ３９、含浸材  ４１，５１  固定部、Ｓ  昇降路。
【図１】
2017001858.tif 000003
【図２】
2017001858.tif 000004
【図３】
2017001858.tif 000005
【図４】
2017001858.tif 000006
【図５】
2017001858.tif 000007
【図６】
2017001858.tif 000008
【図７】
2017001858.tif 000009
【図８】
2017001858.tif 000010
【図９】
2017001858.tif 000011
【図１０】
2017001858.tif 000012